(57)【要約】      （修正有）【課題】不慣れな外国語文字の習得に当たり、文字の書き込み練習を何度もすることができ、練習成果が出易いこと、また書き込み練習を何度してもその頁がゴミとならず、不経済とならないアルファベット練習帳を提供する。【解決手段】何度でも書き直して練習することができるように、練習頁３を含む各頁をホワイトボードで構成し、リング４で綴じた。アルファベット文字のバランスがとり易くなるように、該練習頁３に４本の横線からなる１組の線譜６、８を表記し、各横線を等間隔に仕切ると共に、基線となる上から３番目の横線に色彩を施し、残りの３本の横線を薄墨色に着色した。さらに、練習頁３の線譜８の間隔を、手本頁の線譜の間隔より大きく形成し、児童が注意深く慎重に練習することができるとともに、児童の飽きを防止することができるようにした。【選択図】図３
2020075431.tif 000002
【特許請求の範囲】
【請求項１】
各頁がホワイトボードからなり、一端部にて綴じられた開閉自在の冊子であって、
各ホワイトボードには４本の横線からなる１組の線譜が表記され、各横線は等間隔に仕切られ、かつ各横線は薄墨色に着色され、うち基線となる上から３番目の横線に色彩が施されてなり、
手本頁には手本となるアルファベットが薄墨色に着色されてなり、
練習頁には１組の線譜のみ表記されてなることを特徴とするアルファベット練習帳。
【請求項２】
請求項１記載のアルファベット練習帳において、手本となるアルファベット各文字が大文字及び小文字の順で配置されてなることを特徴とするアルファベット練習帳。
【請求項３】
請求項１又は請求項２記載のアルファベット練習帳において、上記練習頁の上段に配置される１組の線譜の横線の間隔が下段に配置される１組の線譜の横線の間隔よりも大であることを特徴とするアルファベット練習帳。
【請求項４】
請求項１乃至請求項３のいずれか一記載のアルファベット練習帳において、上記手本頁に表記される１組の線譜と上記練習頁の下段に表記される１組の線譜との間隔が等しいことを特徴とするアルファベット練習帳。
【請求項５】
請求項１乃至請求項４のいずれか一記載のアルファベット練習帳において、上記基線の色彩が赤色であることを特徴とするアルファベット練習帳。
【請求項６】
請求項１乃至請求項５のいずれか一記載のアルファベット練習帳において、上記各頁がリングにて綴じられることを特徴とするアルファベット練習帳。
【発明の詳細な説明】
【技術分野】
【０００１】
本願発明はアルファベットの練習帳に関し、とくに各頁がホワイトボードからなるアルファベット練習帳に関する。
【背景技術】
【０００２】
小学校における英語教育は、現行学習指導要領により高学年で実施されており、これが次期学習指導要領により強化され、中学年でも実施される。
【０００３】
英語教育ではアルファベットの習得が必須であるところ、普段話したり聞いたりする日本語とは異なるため、小学校児童にとってアルファベットの習得は困難となっている。
【０００４】
アルファベットを習得するには何度も書き込みをし、文字を視認するとともに、手指に覚え込ませることが有効と考えられる。
【０００５】
従来のアルファベット練習帳はペーパ式であるため、練習帳に書き付けてしまうと、何度も練習することができず、不経済であり、ゴミが出る、等の欠点があった。
【０００６】
また、アルファベット文字は外国語文字であって小学校児童にとっては見慣れない文字であるため、その書写に際し、文字のバランスがとり難いという難があった。
【０００７】
さらに、アルファベット文字には大文字と小文字があり、小学校児童にとっては見慣れない文字であるため、両者の関係が判り難いという難があった。
【先行技術文献】
【特許文献】
【０００８】
【特許文献１】実開昭５７−５４１６９号公報
【特許文献２】実用新案登録第３０１２５３９号公報
【発明の概要】
【発明が解決しようとする課題】
【０００９】
本願発明は、上記欠点を解消することを目的とする。即ち、本願発明の目的は、不慣れな外国語文字の習得に当たり、文字の書き込み練習を何度もすることができ、練習成果が出易いこと、また書き込み練習を何度してもその頁がゴミとならず、不経済とならないアルファベット練習帳を供することである。
【００１０】
また本願発明の他の目的は、大文字と小文字の関係が一目瞭然となるアルファベット練習帳を供することである。さらに、練習成果の確認が容易であるアルファベット練習帳を供することである。
【課題を解決するための手段】
【００１１】
上記課題解決のため、本願発明によるアルファベット練習帳は、各頁がホワイトボードからなり、一端部にて綴じられた開閉自在の冊子であって、各ホワイトボードには４本の横線からなる１組の線譜が表記され、各横線は等間隔に仕切られ、かつ各横線は薄墨色に着色され、うち基線となる上から３番目の横線に色彩が施されてなり、手本頁には手本となるアルファベットが薄墨色に着色されてなり、練習頁には１組の線譜のみ表記されてなることを特徴とする。
また請求項２による本願発明によるアルファベット練習帳は、請求項１記載のアルファベット練習帳において、手本となるアルファベット各文字が大文字及び小文字の順で配置されてなることを特徴とする。
また請求項３による本願発明によるアルファベット練習帳は、請求項１又は請求項２記載のアルファベット練習帳において、上記練習頁の上段に配置される１組の線譜の横線の間隔が下段に配置される１組の線譜の横線の間隔よりも大であることを特徴とする。
また請求項４による本願発明によるアルファベット練習帳は、請求項１乃至請求項３のいずれか一記載のアルファベット練習帳において、上記手本頁に表記される１組の線譜と上記練習頁の下段に表記される１組の線譜との間隔が等しいことを特徴とする。
また請求項５による本願発明によるアルファベット練習帳は、請求項１乃至請求項４のいずれか一記載のアルファベット練習帳において、上記基線の色彩が赤色であることを特徴とする。
また請求項６による本願発明によるアルファベット練習帳は、請求項１乃至請求項５のいずれか一記載のアルファベット練習帳において、上記各頁がリングにて綴じられることを特徴とする。
【発明の効果】
【００１２】
本願発明によるアルファベット練習帳によれば、手本頁も練習頁もすべてホワイトボードからなるため、何度でも書き直して練習することができる。よって練習成果が出易いという効果がある。また、書き込み練習を何度しても、書き込んだ頁はゴミとはならないので、不経済にならない効果がある。
【００１３】
１組の線譜の横線間は等間隔であり、基線に色彩が施されているので、小学生児童にとってアルファベット文字のバランスがとり易く、練習成果が出易いという効果がある。
【００１４】
さらに、手本となるアルファベット文字が薄墨色に着色されているため、初学者としての小学生児童が文字をなぞるだけで、アルファベット文字のバランスをとることが容易である。
また、手本頁に続く練習頁には模範書体がなく、４本の横線のみ表記されているので、自力で文字バランスをとらなければならない。
このため、単に文字をなぞるだけであると飽きがくる児童心理を巧みに利用し、ユーザの遣る気を誘発する効果がある。
請求項２によるアルファベット練習帳は、請求項１記載のアルファベット練習帳において、手本となるアルファベット各文字が大文字及び小文字の順で配置されているので、大文字の次に小文字を書く練習が可能となり、大文字と小文字の関係が小学校児童にとって判別し易くなる効果がある。
請求項３によるアルファベット練習帳は、請求項１又は請求項２記載のアルファベット練習帳において、上記練習頁の上段に配置される１組の線譜の横線の間隔が下段に配置される１組の線譜の横線の間隔よりも大であるので、最初の自力練習を大書することができ、より注意深く練習することができ、飽きを防止することができる。
請求項４によるアルファベット練習帳は、請求項１乃至請求項３のいずれか一記載のアルファベット練習帳において、上記手本頁に表記される１組の線譜と上記練習頁の下段に表記される１組の線譜との間隔が等しいので、文字のサイズ差が分別できない児童でも練習が一層容易である。
請求項５によるアルファベット練習帳は、請求項１乃至請求項４のいずれか一記載のアルファベット練習帳において、基線の色彩が赤色であるので、アルファベット文字のバランスが一層とり易い効果がある。
請求項６によるアルファベット練習帳は、請求項１乃至請求項５のいずれか一記載のアルファベット練習帳において、ホワイトボードからなる各頁がリングにて綴じられるので、手本頁と練習頁との開閉連関が容易であり、練習成果が一層発揮し易い効果がある。
【図面の簡単な説明】
【００１５】
【図１】本願発明によるアルファベット練習帳の実施の形態の一例を示す正面図である。
【図２】図１の手本頁を示す正面図である。
【図３】図１の練習頁を示す正面図である。
【図４】図１の背面図である。
【発明を実施するための形態】
【００１６】
図１乃至図４は本願発明によるアルファベット練習帳を示す。便宜上同一の機能を奏する部分には同一の符号を付してその説明を省略する。
アルファベット練習帳１は、図１に示す表表紙１Ａの裏面が図２に示す手本頁２となっており、該手本頁２に続くホワイトボードからなる練習頁３（図３に示す）の裏面が、図４に示す裏表紙１Ｂとなっている。両頁は、上端部にてリング４により開閉自在に綴じられてなる。各頁は横長のＡ４サイズに形成される。
【００１７】
手本頁２のホワイトボード２ａ及び練習頁３のホワイトボード３ａには、一組の線譜６が表記されている。該線譜６は４本の横線５ａ、５ｂ、５ｃ、５ｄからなり、各横線５ａ、５ｂ、５ｃ、５ｄは等間隔に仕切られる。第１横線５ａ、第２横線５ｂ及び第４横線５ｄは薄墨色に着色されるが、上から３番目の第３横線は基準線として明確にするために赤色に着色される。
【００１８】
上記練習頁３は、上段に、４本の横線７ａ、７ｂ、７ｃ、７ｄからなる一組の線譜８が表記される。この線譜８の各横線７ａ、７ｂ、７ｃ、７ｄは等間隔に仕切られるが、その間隔は手本頁２の模範書体を表記した線譜６の横線５ａ、５ｂ、５ｃ、５ｄ間の間隔より大に形成される。一方、下段に表記される線譜６は、手本頁２の模範書体を表記した線譜６の横線５ａ、５ｂ、５ｃ、５ｄ間の間隔と等しい間隔に形成される。
【００１９】
上記手本頁２には、かかる横線５ａ、５ｂ、５ｃ、５ｄ上に薄墨色にて書された手本文字たるアルファベット文字Ａ乃至Ｚが、大文字及び小文字の順に配置される。アルファベット文字の書体（フォント）は、本実施例ではＨＧＳ教科書体である。
【００２０】
即ち、大文字「Ａ」は、直線が基線５ｃより第２横線５ｂを通って第１横線５ａまで右上がりに直進し、第１横線５ａより反転し基線５ｃまで左下がりに下進する。両直線間であって第２横線５ｂのやや下方の位置に他の直線としての中線が配される。
【００２１】
大文字「Ｂ」は、垂直線が第１横線５ａより基線５ｃまで垂下され、該垂直線の上端より第２横線５ｂに位置する該垂直線の中途まで楕円状の曲線が時計回りに進行されるとともに、第２横線５ｂに位置する上記垂直線の中途より基線５ｃに位置する上記垂直線の下端まで楕円状の曲線が時計回りに進行されてなる。
【００２２】
大文字「Ｃ」は、円弧状の曲線が第２横線５ｂのやや上方より反時計回りに第１横線５ａに円弧を描いて接した後、第２横線５ｂを経て基線５ｃまで円弧を描いて下進し、基線５ｃに接した後円弧を描いて基線５ｃのやや上方まで上進する。
【００２３】
大文字「Ｄ」は、第１横線５ａより基線５ｃまで直線が垂下され、垂直線の上端から時計回りの曲線が第１横線５ａに接するように右進した後円弧状に進行され、基線５ｃに位置する垂直線の下端まで基線５ｃに接しながら左進する。
【００２４】
大文字「Ｅ」は、垂直線が第１横線５ａより第２横線５ｂを通って基線５ｃまで垂下され、該垂直線の上端より第１横線５ａに沿って上辺たる他の直線が右進し、垂直線の中途の第２横線５ｂの位置より第２横線５ｂに沿って中辺たるさらに他の直線が上辺よりやや短く右進し、さらに該垂直線の下端より基線５ｃに沿って下辺たるさらに他の直線が上辺と等しく右進してなる。
【００２５】
大文字「Ｆ」は、垂直線が第１横線５ａより第２横線５ｂを通って基線５ｃまで垂下され、該垂直線の上端より第１横線５ａに沿って上辺たる他の直線が右進し、垂直線の中途の第２横線５ｂの位置より第２横線５ｂに沿って中辺たるさらに他の直線が上辺よりやや短く右進してなる。
【００２６】
大文字「Ｇ」は、円弧状の曲線が第２横線５ｂのやや上方より第１横線５ａに反時計回りに円弧を描いて接した後、第２横線５ｂを経て基線５ｃまで円弧を描いて下進し、基線５ｃに接した後、円弧を描いて第２横線５ｂの位置まで上進する。次に直線が第２横線５ｂの位置より第２横線５ｂに沿って右進し、次いで終点より基線５ｃまで垂下する。
【００２７】
大文字「Ｈ」は、垂直線が第１横線５ａより第２横線５ｂを通って基線５ｃまで垂下され、第２横線５ｂの位置より中辺たる他の直線が第２横線５ｂに沿って右進され、さらに上記垂直線の右側に他の垂直線が第１横線５ａより上記中辺に接し、かつ第２横線５ｂを通って基線５ｃまで垂下される。
【００２８】
大文字「Ｉ」は、垂直線が第１横線５ａより第２横線５ｂを通って基線５ｃまで垂下される。
【００２９】
大文字「Ｊ」は、垂直線が第１横線５ａより第２横線５ｂを通って基線５ｃの直上まで垂下された後、時計回りにカーブされ、基線５ｃに接した後、上方にカーブし、第２横線５ｂのやや下方まで上進される。
【００３０】
大文字「Ｋ」は、垂直線が第１横線５ａより第２横線５ｂを通って基線５ｃまで垂下され、一の直線が第１横線５ａより第２横線５ｂのやや下方まで左下がりに直進され、他の直線が上記一の直線の中途（第２横線５ｂのやや上方の位置）より、基線５ｃまで右下がりに直進される。
【００３１】
大文字「Ｌ」は、直線が第１横線５ａより第２横線５ｂを通って基線５ｃまで垂下され、終点より基線５ｃに沿って右進する。
【００３２】
大文字「Ｍ」は、垂直線が第１横線５ａより第２横線５ｂを通って基線５ｃまで垂下され、該垂直線の上端より基線５ｃまで他の直線が右下がりに直進された後、その終点より第１横線５ａまで右上がりに直進され、その終点即ち第１横線５ａの位置よりさらに第２横線５ｂを通って基線５ｃまで垂下される。
【００３３】
大文字「Ｎ」は、垂直線が第１横線５ａより第２横線５ｂを通って基線５ｃまで垂下され、該垂直線の上端より基線５ｃまで他の直線が右下がりに直進された後、その終点より第１横線５ａまで上進される。
【００３４】
大文字「Ｏ」は、反時計回りの円弧状の曲線が第１横線５ａより第２横線５ｂを通って基線５ｃまで下進し、基線５ｃに接した後、上方に反転され、反時計回りに円弧を描いて第１横線５ａまで上進する。
【００３５】
大文字「Ｐ」は、垂直線が第１横線５ａより第２横線５ｂを通って基線５ｃまで垂下され、該垂直線の上端より第２横線５ｂに位置する該垂直線の中途まで時計回りの曲線が楕円状に進行される。
【００３６】
大文字「Ｑ」は、時計回りの円弧状の曲線が基線５ｃより第２横線５ｂを通って第１横線５ａまで上進し、第１横線５ａに接した後、下方に反転され、時計回りに円弧を描いて基線５ｃまで下進され、基線５ｃと第２横線５ｂの中間よりやや上方の位置から基線５ｃまで、直線が右下がりに直進される。
【００３７】
大文字「Ｒ」は、垂直線が第１横線５ａより第２横線５ｂを通って基線５ｃまで垂下され、該垂直線の上端より第２横線５ｂに位置する該垂直線の中途まで楕円状の曲線が時計回りに進み、第２横線５ｂに位置する上記曲線の中途の位置から基線５ｃまで、直線が右下がりに直進される。
【００３８】
大文字「Ｓ」は、第１横線５ａと第２横線５ｂの中間やや上方より発する円弧状の曲線が、第１横線５ａに接した後、反時計回りに曲がりながら右下がりに下進され、第２横線５ｂを通り、第２横線５ｂの通過後は上記形状とは対称形に反転され基線５ｃに接した後、基線５ｃと第２横線５ｂの中間やや上方まで曲進される。
【００３９】
大文字「Ｔ」は、第１横線５ａに沿って直線が右進され、該直線の中間位置より第２横線５ｂを通って基線５ｃまで、他の直線が垂下される。
【００４０】
大文字「Ｕ」は、第１横線５ａから第２横線５ｂを通って直線が垂下され、途中第２横線５ｂ通過後、該直線が反時計回りに曲がる曲線となって基線５ｃに接し、次いで線対称に反転され、上記曲線が第２横線５ｂ通過後直線となって第１横線５ａまで上進する。
【００４１】
大文字「Ｖ」は、直線が第１横線５ａより第２横線５ｂを通って基線５ｃまで右下がりに下進され、基線５ｃから反転した上記直線が第２横線５ｂを通って第１横線５ａまで線対称の右上がりに上進される。
【００４２】
大文字「Ｗ」は、直線が第１横線５ａより第２横線５ｂを通って基線５ｃまで右下がりに下進され、基線５ｃから反転した上記直線が第２横線５ｂを通って第１横線５ａまで線対称の右上がりに上進され、次いで、上記直線が再度第１横線５ａより第２横線５ｂを通って基線５ｃまで右下がりに下進された後、基線５ｃから反転した上記直線が第２横線５ｂを通って第１横線５ａまで線対称の右上がりに上進される。
【００４３】
大文字「Ｘ」は、直線が第１横線５ａより第２横線５ｂを通って基線５ｃまで左下がりに下進され、他の直線が第１横線５ａの左側の位置より第２横線５ｂを通って基線５ｃまで右下がりに下進される。
【００４４】
大文字「Ｙ」は、直線が第１横線５ａより第２横線５ｂまで右下がりに下進され、他の直線が第１横線５ａの右側の位置より第２横線５ｂまで左下がりに下進され、さらに他の直線が第２横線５ｂ上の合流点より基線５ｃまで垂下される。
【００４５】
大文字「Ｚ」は、第１横線５ａに沿って右進された直線が、その終点より第２横線５ｂを通って基線５ｃまで左下がりに下進され、さらにその終点より基線５ｃに沿って右進される。
【００４６】
上記した大文字の右側には、各大文字の小文字が配置される。即ち、小文字「ａ」は、円弧状の曲線が第２横線５ｂのやや下方より反時計回りに円弧を描いて上進し、第２横線５ｂに接した後、基線５ｃまで円弧を描いて下進し、基線５ｃに接した後円弧を描いて基線５ｃのやや上方まで上進する。一方、該曲線の他端に、上記曲線の始点及び終点に接する直線が第１横線５ａから基線５ｃまで垂下される。
【００４７】
小文字「ｂ」は、垂直線が第１横線５ａと第２横線５ｂの中間位置から基線５ｃまで垂下され、該垂直線の中途（第２横線５ｂのやや下方の位置）より、円弧状の曲線が時計回りに円弧を描いて上進し、第２横線５ｂに接した後、基線５ｃまで円弧を描いて下進し、基線５ｃに接した後円弧を描いて基線５ｃのやや上方まで上進する。
【００４８】
小文字「ｃ」は、円弧状の曲線が第２横線５ｂのやや下方より反時計回りに円弧を描いて上進し、第２横線５ｂに接した後、基線５ｃまで円弧を描いて下進し、基線５ｃに接した後円弧を描いて基線５ｃのやや上方まで上進する。
【００４９】
小文字「ｄ」は、円弧状の曲線が第２横線５ｂのやや下方より反時計回りに円弧を描いて上進し、第２横線５ｂに接した後、基線５ｃまで円弧を描いて下進し、基線５ｃに接した後円弧を描いて基線５ｃのやや上方まで上進する。上記曲線の右端部に、上記曲線の始点及び終点に接する直線が第２横線５ｂと第１横線５ａの中間位置より基線５ｃまで下進する。
【００５０】
小文字「ｅ」は、第２横線５ｂと基線５ｃの中間よりやや上方の位置から右進された直線が、その終点から円弧状の曲線となって反時計回りに上進され、第２横線５ｂに接した後、円弧状のまま下進され、基線５ｃに接した後、基線５ｃのやや上方まで円弧状に上進される。
【００５１】
小文字「ｆ」は、第２横線５ｂより第２横線５ｂに沿って発する短い直線と、第２横線５ｂと第１横線５ａの中間位置よりやや上方に向かって発した反時計回りの半円状の線が下方に向かって直線となり、上記短い直線と第２横線５ｂにて交差した後、基線５ｃまで下進する。
【００５２】
小文字「ｇ」は、第２横線５ｂのやや下方から発する円弧状の反時計回りの曲線が第２横線５ｂに接した後、基線５ｃまで円弧状に下進される。一方、右側に当初直線状の線が第２横線５ｂから発せられ、上記曲線の始点及び終点に接した後基線５ｃまで下進され、基線５ｃ通過後左側に円弧状に曲げられる。
【００５３】
小文字「ｈ」は、垂直線が第１横線５ａと第２横線５ｂの中間位置より基線５ｃまで垂下され、曲線が第２横線５ｂのやや下方の位置より第２横線５ｂに向かって時計回りの円弧状に発せられ、第２横線５ｂに接した後、円弧状に反転され、基線５ｃまで垂下される。
【００５４】
小文字「ｉ」は、垂直線が第２横線５ｂより基線５ｃまで垂下され、該垂直線の上方に点が付与される。
【００５５】
小文字「ｊ」は、第２横線５ｂのやや下方より発した線が当初基線５ｃを通って第４横線５ｄの直下まで垂下された後、反時計回りにカーブされ、第４横線５ｄに接した後、上方にカーブし、第４横線５ｄのやや上方まで上進される。上記線の上方で、第２横線５ｂ上に点が付される。
【００５６】
小文字「ｋ」は、垂直線が第１横線５ａより第２横線５ｂを通って基線５ｃまで垂下され、一の直線が第２横線５ｂのやや上方より第２横線５ｂのやや下方まで左下がりに直進され、他の直線が該直線の中途（第２横線５ｂのやや下方の位置）より、基線５ｃまで右下がりに直進される。
【００５７】
小文字「ｌ」は、垂直線が第１横線５ａより第２横線５ｂを通って基線５ｃまで直線状に垂下される。
【００５８】
小文字「ｍ」は、第２横線５ｂより発する線が当初基線５ｃまで垂下され、次いで該線をなぞって中途（第２横線５ｂの直下）の位置より時計回りに上方にカーブされ、第２横線５ｂに接した後、円弧状に反転されて基線５ｃまで直線状に垂下され、さらに該垂下された線をなぞって上記反転したカーブ部位置より上方に時計回りにカーブした線が第２横線５ｂに接した後、円弧状に反転されて基線５ｃまで直線状に垂下される。
【００５９】
小文字「ｎ」は、第２横線５ｂより発する線が当初基線５ｃまで垂下され、次いで該線をなぞって中途（第２横線５ｂの直下）の位置より時計回りに上方にカーブされ、第２横線５ｂに接した後、円弧状に反転されて基線５ｃまで直線状に垂下される。
【００６０】
小文字「о」は、反時計回りの円弧状の曲線が第２横線５ｂより基線５ｃまで下進し、基線５ｃに接した後、線対称に反転され、反時計回りに円弧を描いて始点まで上進する。
【００６１】
小文字「ｐ」は、垂直線が第２横線５ｂより基線５ｃを通って基線５ｃの直下まで垂下され、該垂直線の上端直下より第２横線５ｂまで時計回りの曲線が楕円状に上進され、第２横線５ｂに接した後、該曲線が楕円状に反転されて下進し、基線５ｃに接した後やや上方に向かい上記垂直線に接合する。
【００６２】
小文字「ｑ」は、反時計回りの円弧状の曲線が第２横線５ｂのやや下方より第２横線５ｂまで楕円状に上進され、第２横線５ｂに接した後、楕円状に反転されて下進し、基線５ｃに接した後やや上方に向かう。他方上記曲線の右側に、上記曲線の始発点及び終点を通る直線が第２横線５ｂから基線５ｃを通って基線５ｃ直下まで下進する。
【００６３】
小文字「ｒ」は、線が当初第２横線５ｂより基線５ｃまで垂下され、該線をなぞって上方に進んだ後、上端直下より第２横線５ｂまで曲線が時計回りに楕円状に進み、第２横線５ｂに接した後、やや下方に曲げられる。
【００６４】
小文字「ｓ」は、第２横線５ｂのやや下方より発する円弧状の曲線が、第２横線５ｂに接した後、反時計回りに曲がりながら右下がりに下進され、第２横線５ｂと基線５ｃの中間点にて上記形状とは対称形に反転され、基線５ｃに接した後、基線５ｃのやや上方まで曲進される。
【００６５】
小文字「ｔ」は、第２横線５ｂより第２横線５ｂに沿って発する短い直線と、第２横線５ｂのやや上方より発する他の直線が上記線と交差して基線５ｃまで垂下される。
【００６６】
小文字「ｕ」は、第２横線５ｂから基線５ｃの直上まで垂下される線が基線５ｃの直上にて反時計回りに円弧状に曲げられ、基線５ｃに接した後、カーブを描いて反転され、第２横線５ｂまで直線状に上進され、第２横線５ｂにて反転されて基線５ｃまで垂下される。
【００６７】
小文字「ｖ」は、直線が第２横線５ｂより基線５ｃまで右下がりに下進され、基線５ｃから反転した上記直線が第２横線５ｂまで線対称の右上がりに上進される。
【００６８】
小文字「ｗ」は、直線が第２横線５ｂより基線５ｃまで右下がりに下進され、基線５ｃから反転した上記直線が第２横線５ｂまで線対称の右上がりに上進され、次いで、上記直線が再度基線５ｃまで右下がりに下進された後、基線５ｃから反転した上記直線が第２横線５ｂまで線対称の右上がりに上進される。
【００６９】
小文字「ｘ」は、直線が第２横線５ｂより基線５ｃまで左下がりに下進され、他の直線が第２横線５ｂの左側の位置より基線５ｃまで右下がりに下進される。
【００７０】
小文字「ｙ」は、一の直線が第２横線５ｂより基線５ｃまで右下がりに下進され、他の直線が第２横線５ｂの右側の位置より基線５ｃを通るとともに、該基線５ｃの位置で上記一の直線の終点と接合した後、基線５ｃと第４横線５ｄの中間点まで左下がりに下進される。
【００７１】
小文字「ｚ」は、第２横線５ｂに沿って右進された直線が、その終点より基線５ｃまで左下がりに下進され、さらにその終点より基線５ｃに沿って右進される。
【００７２】
図２の手本頁２により、模範書体をなぞり練習した児童は、図３に示す練習頁３によりさらに練習をする。
かかる文字の練習は、手本頁２も練習頁３もホワイトボードからなるため、書いては消し、書いては消して何度でも書き込みをすることができるので、練習成果が出易いという効果がある。
また、書き込み練習を何度しても、書き込んだ頁はゴミとはならないので、不経済にならない効果がある。
【００７３】
上記実施の形態によれば、基線５ｃが赤色に着色されるにもかかわらず、書き込みされる練習文字とは干渉しないので、練習成果の確認が容易である。また上記基線５ｃに加えて１組の線譜の横線間は等間隔であるので、小学生児童にとってアルファベット文字のバランスがとり易く、練習成果が出易いという効果がある。
【００７４】
さらに、手本となるアルファベット文字が薄墨色に着色されているため、初学者としての小学生児童が文字をなぞるだけで、アルファベット文字のバランスをとることが容易である。そして、手本頁に続く練習頁には模範書体がなく、４本の横線のみ表記されているので、自力で文字バランスをとらなければならない。このため、単に文字をなぞるだけであると飽きがくる児童心理を巧みに利用し、ユーザの遣る気を誘発する効果がある。
【００７５】
練習に当たっては、大文字と小文字をリンクさせることができるため、大文字と小文字両者の関係を児童が体感することが可能である。
【００７６】
また練習に当たっては、まず上段の１組の線譜８を使用すると、各横線７ａ、７ｂ、７ｃ、７ｄの間隔が手本頁２の横線５ａ、５ｂ、５ｃ、５ｄの間隔より大に形成されているため、文字を大書することにより注意深く慎重に練習することができる。よって初学者の児童にとっては練習成果の一層の向上が期待されるとともに、児童の飽きを防止することができる。
【００７７】
また下段に表記されている線譜６を使用すれば、各横線５ａ、５ｂ、５ｃ、５ｄの間隔が手本頁２の横線５ａ、５ｂ、５ｃ、５ｄの間隔と等しく形成されているため、ある程度慣れてきた児童にとっては下段の線譜６を使用してもよい。あるいは、上段の線譜８と下段の線譜６を適宜に使い分けることもできる。いずれにしても、児童の飽きを防止することができ、また練習成果の一層の向上を図ることができる。
【００７８】
さらに、ホワイトボードからなる各頁がリングにて綴じられるので、手本頁２と練習頁３との開閉をし、両者の連関付けをすることが容易であり、練習成果が一層発揮し易い効果がある。
【００７９】
本願発明によるアルファベット練習帳は上記実施の形態に限定されない。例えば、基線５ｃに着色される色彩は赤色以外の色を使用することもできる。また各基線５ｃの間隔は等間隔であれば任意である。さらに練習頁を複数枚とすることもできる。各頁のサイズは任意である。また文字の配列につき、小文字、大文字の順にしてもよい。さらに、手本文字となるアルファベット文字の書体は他のフォントであってもよい。
【産業上の利用可能性】
【００８０】
本願発明によるアルファベット練習帳は文房具として英語等の外国語学習に活用することができる。
【符号の説明】
【００８１】
１    アルファベット練習帳
１Ａ  表表紙
１Ｂ  裏表紙
２    手本頁
２ａ  ホワイトボード
３    練習頁
３ａ  ホワイトボード
４    リング
５    横線
５ａ  第１横線
５ｂ  第２横線
５ｃ  第３横線（基線）
５ｄ  第４横線
６    線譜
７    横線
７ａ  第１横線
７ｂ  第２横線
７ｃ  第３横線（基線）
７ｄ  第４横線
８    線譜
【図１】
2020075431.tif 000003
【図２】
2020075431.tif 000004
【図３】
2020075431.tif 000005
【図４】
2020075431.tif 000006